【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
視標光束を被検眼に向けて投影する投光光学系の光路中に配置され、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、
被検眼の眼底に測定光を出射し、その反射光を受光する測定光学系を有し、前記被検眼の光学特性を他覚的に測定する他覚式測定手段と、
前記自覚式測定手段によって前記被検眼の光学特性を自覚的に測定している間に、前記他覚式測定手段によって前記被検眼の光学特性を他覚的に測定する制御手段と、
を備え、
前記制御手段は、前記他覚式測定手段によって前記被検眼の光学特性を他覚的に測定して第１光学特性を取得するとともに、前記自覚式測定手段によって前記被検眼の光学特性を自覚的に測定している間に、前記他覚式測定手段によって前記被検眼の光学特性を他覚的に測定して第２光学特性を取得し、
前記第１光学特性及び前記第２光学特性に基づく調節情報を取得する取得手段と、
前記調節情報を出力する出力手段と、
を備えることを特徴とする自覚式検眼装置。
【請求項２】
請求項１の自覚式検眼装置において、
前記制御手段は、前記自覚式測定手段によって前記被検眼の光学特性を自覚的に測定する以前に、前記他覚式測定手段によって前記被検眼の光学特性を他覚的に測定し、前記第１光学特性を取得することを特徴とする自覚式検眼装置。
【請求項３】
請求項１又は２の自覚式検眼装置において、
前記自覚式測定手段によって前記被検眼の光学特性を自覚的に測定している間に生じる前記被検眼の調節状態変化を補正するための補正量を前記調節情報に基づいて、設定する設定手段と、
前記設定手段によって設定された前記補正量に基づいて、前記自覚式測定手段にて生じる前記被検眼の前記調節状態変化をキャンセルする補正を行う第１補正手段と、
を備えることを特徴とする自覚式検眼装置。
【請求項４】
視標光束を被検眼に向けて投影する投光光学系の光路中であって、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、
被検眼の眼底に測定光を出射し、その反射光を受光する測定光学系を有し、前記被検眼の光学特性を他覚的に測定する他覚式測定手段と、
前記他覚式測定手段によって前記被検眼の光学特性を他覚的に測定して第１光学特性を取得するとともに、前記第１光学特性を取得したタイミングとは異なるタイミングにて、前記他覚式測定手段によって前記被検眼の光学特性を他覚的に測定して第２光学特性を取得する制御手段と、
前記第１光学特性及び前記第２光学特性に基づく調節情報を取得する取得手段と、
前記調節情報を出力する出力手段と、
を備えることを特徴とする自覚式検眼装置。
【請求項５】
請求項１〜４のいずれかの検眼装置において、
前記矯正光学系が前記測定光学系の光路中に配置され、
前記矯正光学系による矯正情報に基づいて、前記他覚式測定手段によって前記被検眼を他覚的に測定して得られた測定結果を補正する第２補正手段を備えることを特徴する自覚式検眼装置。
【請求項６】
視標光束を被検眼に向けて投影する投光光学系と、前記投光光学系の光路中であって、前記視標光束の光学特性を変化する矯正光学系と、を有し、前記被検眼の光学特性を自覚的に測定する自覚式測定手段と、被検眼の眼底に測定光を出射し、その反射光を受光する測定光学系を有し、前記被検眼の光学特性を他覚的に測定する他覚式測定手段と、を備え、被検眼の光学特性を自覚的に測定する自覚式検眼装置において用いられる自覚式検眼プログラムであって、前記自覚式検眼装置のプロセッサによって実行されることで、
前記自覚式測定手段によって前記被検眼の光学特性を自覚的に測定している間に、前記他覚式測定手段によって前記被検眼の光学特性を他覚的に測定する制御ステップであって、前記他覚式測定手段によって前記被検眼の光学特性を他覚的に測定して第１光学特性を取得するとともに、前記自覚式測定手段によって前記被検眼の光学特性を自覚的に測定している間に、前記他覚式測定手段によって前記被検眼の光学特性を他覚的に測定して第２光学特性を取得する制御ステップと、
前記第１光学特性及び前記第２光学特性に基づく調節情報を取得する取得ステップと、
前記調節情報を出力する出力ステップと、
を前記自覚式検眼装置に実行させることを特徴とする自覚式検眼プログラム。
【手続補正２】
【補正対象書類名】明細書
【補正対象項目名】０００７
【補正方法】変更
【補正の内容】
【０００７】
（１）  本開示の第１態様に係る自覚式検眼装置は、視標光束を被検眼に向けて投影する投光光学系の光路中に配置され、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、被検眼の眼底に測定光を出射し、その反射光を受光する測定光学系を有し、前記被検眼の光学特性を他覚的に測定する他覚式測定手段と、前記自覚式測定手段によって前記被検眼の光学特性を自覚的に測定している間に、前記他覚式測定手段によって前記被検眼の光学特性を他覚的に測定する制御手段と、を備え、前記制御手段は、前記他覚式測定手段によって前記被検眼の光学特性を他覚的に測定して第１光学特性を取得するとともに、前記自覚式測定手段によって前記被検眼の光学特性を自覚的に測定している間に、前記他覚式測定手段によって前記被検眼の光学特性を他覚的に測定して第２光学特性を取得し、前記第１光学特性及び前記第２光学特性に基づく調節情報を取得する取得手段と、前記調節情報を出力する出力手段と、を備えることを特徴とする。
（２）  本開示の第２態様に係る自覚式検眼装置は、視標光束を被検眼に向けて投影する投光光学系の光路中であって、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、被検眼の眼底に測定光を出射し、その反射光を受光する測定光学系を有し、前記被検眼の光学特性を他覚的に測定する他覚式測定手段と、前記他覚式測定手段によって前記被検眼の光学特性を他覚的に測定して第１光学特性を取得するとともに、前記第１光学特性を取得したタイミングとは異なるタイミングにて、前記他覚式測定手段によって前記被検眼の光学特性を他覚的に測定して第２光学特性を取得する制御手段と、前記第１光学特性及び前記第２光学特性に基づく調節情報を取得する取得手段と、前記調節情報を出力する出力手段と、を備えることを特徴とする。
（３）  本開示の第３態様に係る自覚式検眼プログラムは、視標光束を被検眼に向けて投影する投光光学系と、前記投光光学系の光路中であって、前記視標光束の光学特性を変化する矯正光学系と、を有し、前記被検眼の光学特性を自覚的に測定する自覚式測定手段と、被検眼の眼底に測定光を出射し、その反射光を受光する測定光学系を有し、前記被検眼の光学特性を他覚的に測定する他覚式測定手段と、を備え、被検眼の光学特性を自覚的に測定する自覚式検眼装置において用いられる自覚式検眼プログラムであって、前記自覚式検眼装置のプロセッサによって実行されることで、前記自覚式測定手段によって前記被検眼の光学特性を自覚的に測定している間に、前記他覚式測定手段によって前記被検眼の光学特性を他覚的に測定する制御ステップであって、前記他覚式測定手段によって前記被検眼の光学特性を他覚的に測定して第１光学特性を取得するとともに、前記自覚式測定手段によって前記被検眼の光学特性を自覚的に測定している間に、前記他覚式測定手段によって前記被検眼の光学特性を他覚的に測定して第２光学特性を取得する制御ステップと、前記第１光学特性及び前記第２光学特性に基づく調節情報を取得する取得ステップと、前記調節情報を出力する出力ステップと、を前記自覚式検眼装置に実行させることを特徴とすることを特徴とする。